(57)【特許請求の範囲】
【請求項１】
汚れた空気の吸い込み口を開口した天板と、前記天板の下方に配置された本体部とを備えており、前記本体部は筒状のボデーを備えており、このボデーに、汚れた空気を浄化するフィルター及びファンが内蔵されていると共に、浄化済空気を平面視で放射方向に放出する排気口が開口している天板付き空気浄化装置であって、
前記ボデーのうち前記排気口が空いている部分に、前記排気口を外側から覆って浄化済空気が本体部の外周回り方向に流れるように風向を変換させる風向案内カバーが取外し可能に装着されている、
天板付き空気浄化装置。
【請求項２】
前記ボデーは、４つの広幅面を有すると共に各コーナー部が面取りされている平面視略四角形状に形成されており、このボデーの各コーナー部に、前記排気口が開口している共に、前記排気口を外側から覆うように前記風向案内カバーが取り付けられており、ボデーの外周面と風向案内カバーとにより、前記排気口から放出された空気をボデーの広幅面に沿った方向に放出する放出口が形成されている、
請求項１に記載した天板付き空気浄化装置。
【請求項３】
前記風向案内カバーの内部に、浄化済空気が斜め下向きに向かうように案内するリブを設けている、
請求項１に記載した天板付き空気浄化装置。
【発明の詳細な説明】
【０００１】
【発明の属する技術分野】
本発明は、テーブル型空気浄化装置やカウンター型空気浄化装置、或いはスタンド型空気浄化装置のように、天板を備えた家具型空気浄化装置の改良に関するものである。
【０００２】
【従来の技術】
この種の天板付き空気浄化装置は、一般に、天板の下面に取付けた筒型のボデーにフィルターやファン等の浄化機構を内蔵している。
【０００３】
そして、浄化された空気は、ボデーの下面から直接に床に吹き出したり（例えば特開平９−１５５２３１号公報参照）、ボデーの側面に形成した吹き出し口から外向きに排出したりしている。
【０００４】
また、意匠登録第１０５２４０３号公報には、ボデーの左右両側部に上向きに開口した吹き出し口を設ける一方、天板のかなり上方に吸い込み口を設け、浄化済空気の噴出による空気流によって煙草の煙を吸い込み口に押しやるようにした空気浄化装置が開示されている。
【０００５】
【発明が解決しようとする課題】
フィルターが目詰まりするなどして浄化機能が低下すると、浄化済空気といえども僅かながら臭いが残ることがあるため、浄化済空気は、登録意匠第１０５２４０３号のように浄化済空気を天板の上方に吹き出すよりも、床の近くに吹き出すのが好ましいと言える。
【０００６】
ところで、従来の空気浄化装置では、浄化済空気は平面視でボデーから放射方向に向けて流れるため、かなり遠くまで流れていくものである。
【０００７】
このため、空気浄化装置の使用者の足に空気流が当たって、寒さを感じたり違和感を覚えたりする問題があった。この問題は、冬場であるほど、又、北国のように気温（正確には室温）が低いほど、更に、使用者がスカートをはいている女性であるほど顕著に現れていた。
【０００８】
また、テーブルタイプ（机タイプ）の空気浄化装置の場合は、椅子に腰掛けると足が天板の下方に入り込むため、空気流の影響が特に強く現れていた。
【０００９】
本発明は、浄化済空気を床の近くに噴出させるタイプの空気浄化装置において、空気流が人に悪影響を与える問題を改善することを目的とするものである。
【００１０】
【課題を解決するための手段】
請求項１の発明では、汚れた空気の吸い込み口を開口した天板と、前記天板の下方に配置された本体部とを備えており、前記本体部は筒状のボデーを備えており、このボデーに、汚れた空気を浄化するフィルター及びファンが内蔵されていると共に、浄化済空気を平面視で放射方向に放出する排気口が開口している天板付き空気浄化装置において、前記ボデーのうち前記排気口が空いている部分に、前記排気口を外側から覆って浄化済空気が本体部の外周回り方向に流れるように風向を変換させる風向案内カバーが取外し可能に装着されている。
【００１１】
請求項２の発明では、請求項１において、前記ボデーは、４つの広幅面を有すると共に各コーナー部が面取りされている平面視略四角形状に形成されており、このボデーの各コーナー部に、前記排気口が開口している共に、前記排気口を外側から覆うように前記風向案内カバーが取り付けられており、ボデーの外周面と風向案内カバーとにより、前記排気口から放出された空気をボデーの広幅面に沿った方向に放出する放出口が形成されている。
【００１２】
請求項３の発明では、請求項１又は２において、前記風向案内カバーの内部に、浄化済空気が斜め下向きに向かうように案内するリブを設けている。
【００１３】
【発明の作用・効果】
本願発明によると、浄化済空気は、風向案内カバーによって本体部の外周を回るような方向に向いて流れるため、本体部のごく近くで減速・拡散する。
【００１４】
このため、椅子に腰掛けた人が足（脛）を本体部に近づけた状態であっても、人が浄化済空気の流れを足に感じることは全く又は殆どない。実際に、本願発明者が本体部から１００ｍｍの場所で風速を計測したところ、風向案内カバーを取り付けることによって流速が４分の１程度まで低下していることが確認された。
【００１５】
従って、本願発明によると、浄化済空気の空気流によって使用者に悪影響を与えることを防止または著しく抑制することができ、その結果、寒い地域（或いは室温の低い部屋）においても空気浄化装置を快適に使用することができる。
【００１６】
また、風向案内カバーは後付けによって本体部に取り付けることがため、既設の空気浄化装置にも取り付けて、ユーザーの要望に応えることができる利点がある。
【００１７】
更に請求項３のように構成すると、浄化済空気を床面に沿って拡散させることができるため、浄化済空気が人の脛に当たることをより一層抑制することができて好適であった。
【００１８】
【発明の実施形態】
次に、本発明の実施形態を図面に基づいて説明する。
【００１９】
(1).第１実施形態（図１〜図５）
図１〜図５では第１実施形態を示している。図１は全体の斜視図、図２は図１のII−II視断面図、図３は図１の III-III視断面図、図４は要部の斜視図、図５のうち（Ａ）は要部の正面図、（Ｂ）は（Ａ）のＢ−Ｂ視図である。
【００２０】
(2).概要
本実施形態は、人が椅子に腰掛けて使用できるテーブルタイプの空気浄化装置に適用しており、空気浄化装置は、平面視略矩形の天板１と、その下方に配置した本体部２とを備えている。
【００２１】
天板１の中央部には吸い込み口３が空いており、吸い込み口３は着脱自在な穴空きの防護カバー４で塞がれている。図３に二点鎖線で示すように、天板１は円形に形成しても良い。
【００２２】
なお、必ずしも防護カバー４は必要ない。また、吸い込み口３には様々の形態の吸気ヘッドを装着しても良い。吸気筒を高く立ち上げて、その上端に集気傘を設けることも可能である。
【００２３】
本体部２は、コーナー部５ａが面取りされた平面視略四角形状（箱型）のボデー５と、ボデー５におけるコーナー部５ａの下端から放射状に延びる脚６とを備えている。ボデー５の一面にはメンテナンス用の扉７を開閉自在（又は着脱自在）に設けている。脚６の先端にはアジャスターボルト８を設けている（キャスターを設けてもよい）。
【００２４】
図２に示すように、ボデー５の内部には、上から順に、ゴミ取り用ネット９と、フィルターユニット１０と、殺菌と脱臭効果を向上するための光触媒ユニット１１と、吸引用のファン（シロッコファン）１２とが配置されている。ボデー５の下端は底板１３で塞がれており、ファン１２は底板１３に固定されている。
【００２５】
(3).吹き出し部
ボデー５における各コーナー部５ａの下部には吹き出し部１４を設けている。吹き出し部１４は、ボデー５のコーナー部５ａに形成した排気口１５と、これを覆う合成樹脂製等の風向案内カバー１６とから成っている。排気口１５は、複数段の縦溝群から成っているが、丸穴群で構成したり、大きな角穴で構成したりしても良い。
【００２６】
風向案内カバー１６の壁板は平面視で円弧状に形成されており、かつ、一側縁はボデー５に当接し、他側縁はボデー５との間に間隔が空くようになっており、このため、風向案内カバー１６とボデー５との間には、ボデー５の広幅面に沿った方向に向いた水平横向きの放出口１７が空いている。
【００２７】
風向案内カバー１６の内部には、補助案内手段の一例として、上下に隣り合った溝穴群の間に位置する２枚の傾斜リブ１８が一体に形成されている。この場合、図５に明瞭に示すように、傾斜リブ１８は、放出口１７に位置した部分が低くなるように、浄化済空気の流れ方向に向かって斜め下向きに傾斜している。
【００２８】
リブ１８は、傾斜角度を変更できるようにルーバ状に構成することも可能である。この場合、水平状から斜め下向きの姿勢に変更可能でもよいし、水平状の姿勢を挟んで斜め上向きと斜め下向きとに変更可能とすることもできる。また、風向を斜め上向きにガイドするように傾斜させることも可能である。
【００２９】
風向案内カバー１６の内部のうち上座左右の４ヵ所には、排気口１５を構成する縦溝に弾性的に嵌まり係合する係合爪１９が一体に形成されている。係合爪１９は２本程度でも良い。
【００３０】
(4).まとめ
風向案内カバー１６がない場合は、浄化済空気は排気口１５から平面視で放射方向に噴出するだけであり、このため、ボデー５の遠くまで流れていく。しかし、風向案内カバー１６を取り付けているため、図３に示すように、浄化済空気はボデー５の広幅面に沿うようにして放出される。
【００３１】
すなわち、全体として見ると、浄化済空気はボデー５を周囲を旋回するような状態で放出される。このため、浄化済空気はボデー５のごく近くにおいて拡散してしまい、その結果、空気流が人の足に当たって悪影響を及ぼすことを防止又は著しく抑制できる。
【００３２】
更に、傾斜リブ１８の存在により、浄化済空気は斜め下向きに向かうように風向が方向付けられるため、床面を這うように流れて拡散することになり、その結果、人への悪影響をより一層なくすことができる。また、風向案内カバー１６は排気口１５の箇所に着脱自在であるため、既設の空気浄化装置にも適用できる。
【００３３】
複数の風向案内カバー１６を設けている場合、放出口を開閉する（又は風量を０から全開まで調節できる）シャッター（蓋）を設けて、浄化済空気が噴出する吹き出し部を選択できるように構成することも可能である。
【００３４】
また、各風向案内カバー１６の左右両側部にシャッターを開閉自在に設けて、浄化済空気を右向きに噴出させる態様と左向きに噴出させる態様とを選択できるようにすることも可能てある。
【００３５】
更に、排気口１５から吹き出す浄化済空気の風速を低減するため、ボテー４の内部に、風速を低減する邪魔板を設けることも可能である。
【００３６】
(5).第２〜第３実施形態（図６〜図７）
ところで、風向案内カバー１６は使用者の足元に位置しているため、人が不用意に蹴って係合爪１９が折れてしまう虞がある。従って、風向案内カバー１６は外れても簡単に取り付けできるようにするか、又は、人が足で蹴っても外れないようにするのが好ましい。
【００３７】
そこで、図６に示す第２実施形態では、ボデー５が鋼板製であることを利用して、風向案内カバー１６にマグネット２０を設けることにより、外れても簡単に取り付けできるようにしている。いうまでもないが、マグネット２０は浄化済空気の流れを損なわない部位に設けている。マグネットに代えて、両面粘着テープや接着剤を使用することも可能である。
【００３８】
図７に示す第３実施形態では、ボデー５の周囲を囲う鉢巻き状のバンド２１を設け、このバンド２１に風向案内カバー１６を取り付けている。言うまでもないが、バンド２１には排気口１５と連通する穴が空いており、浄化済空気の排気を損なわないようになっている。
【００３９】
この場合、２本のバンド２１でボデー５を前後から抱持するようになっており、両バンド２１の端部は互いに引っ掛かる鉤部２１ａを形成している（両バンド２１を上下方向に相対動させると、鉤部２１ａが嵌脱する）。なお、風向案内カバー１６をボデー５にねじ止めしても良いし、溶接で固定しても良い。
【００４４】
(6).その他
本発明は、更に様々に具体化することができる。例えばボデーは単なる四角形としたり円形にしたりするなど、様々の形態に設定できる。また、２つのボデーで１枚の天板を支持したツインタイプの構造とすることも可能である。
【図面の簡単な説明】
【図１】第１実施形態に係る空気浄化装置の斜視図である。
【図２】図１のII−II視断面図である。
【図３】図１の III-III視断面図である。
【図４】要部の斜視図である。
【図５】（Ａ）は天板の対角方向から見た要部正面図、（Ｂ）は（Ａ）のＢ−Ｂ視図である。
【図６】第２実施形態を示す平断面図である。
【図７】第３実施形態を示す平断面図である。
【符号の説明】
１  天板
２  本体部
３  吸い込み口
５  ボデー
９  ゴミ取りネット
１０  フィルターユニット
１１  光触媒ユニット
１２  ファン
１４  吹き出し部
１５  吹き出し口
１６  風向案内カバー
１７  放出口
１８  傾斜リブ
【図１】
0003789780.tif 000002
【図２】
0003789780.tif 000003
【図３】
0003789780.tif 000004
【図４】
0003789780.tif 000005
【図５】
0003789780.tif 000006
【図６】
0003789780.tif 000007
【図７】
0003789780.tif 000008